(57)【要約】【課題】開き戸の意匠性をよくすることができるとともに、開口部を閉鎖している状態から扉を１８０°程度回転させて開口部をより広く開口することができるピボットヒンジを提供する。【解決手段】壁部１１に形成された開口部１２に、開口部１２を開閉する開き戸１３の扉１３１を回転可能に取り付けるピボットヒンジ１において、枠部１４（開口部の縁部）に取り付けられて、扉１３１を回転可能に支持する回転軸部３１を有し、回転軸部３１は、壁部１１における見込み方向（壁厚方向）の内側と外側とに移動可能に構成されている。【選択図】図３
2020133298.tif 000002
【特許請求の範囲】
【請求項１】
壁部に形成された開口部に、前記開口部を開閉する開き戸の扉を回転可能に取り付けるピボットヒンジにおいて、
前記開口部の縁部に取り付けられて、前記扉を回転可能に支持する回転軸部を有し、
前記回転軸部は、前記壁部における壁厚方向の内側と外側とに移動可能に構成されていることを特徴とするピボットヒンジ。
【請求項２】
前記回転軸部を有する軸支持部と、
前記開口部の縁部に取り付けられて前記軸支持部が固定されるベース部と、を有する請求項１に記載のピボットヒンジ。
【請求項３】
前記ベース部は、前記軸支持部を仮固定する仮固定部を有する請求項２に記載のピボットヒンジ。
【請求項４】
前記回転軸部を前記壁部における壁厚方向の内側と外側とに移動可能にする移動機構を有し、
前記移動機構は、前記壁部に支持されたラックと、
前記回転軸部と連結され前記ラックに沿って回転しながら前記壁厚方向に移動可能なギアと、を有する請求項１乃至３のいずれか一項に記載のピボットヒンジ。
【請求項５】
前記回転軸部を前記壁部における壁厚方向の内側と外側とに移動可能にする移動機構を有し、
前記移動機構は、前記回転軸部を前記壁部における壁厚方向の内側に配置する第１モードと、前記回転軸部を前記壁部における壁厚方向の外側に配置する第２モードとに切り替え可能であり、
前記回転軸部は、前記第１モードでは、前記扉を前記開口部を閉鎖している状態から前記開口部を開放する方向に９０°回転可能に支持し、前記第２モードでは、前記扉を前記開口部を閉鎖している状態から前記開口部を開放する方向に１８０°回転可能に支持する請求項１乃至４のいずれか一項に記載のピボットヒンジ。
【発明の詳細な説明】
【技術分野】
【０００１】
本発明は、ピボットヒンジに関する。
【背景技術】
【０００２】
壁部の開口部に開き戸の扉を取り付ける際に、ヒンジ（丁番）が使用されている（例えば、特許文献１−３参照）。
ヒンジには、複数の種類があり、例えば、開口部に設けられた枠部および扉に埋め込まれる隠し丁番は、扉が開口部を閉鎖している状態では露出しないため、開き戸の意匠性をよくすることができる。しかしながら、隠し丁番は、扉のフレームが細いと、このフレームに埋め込むことができないことがある。
これに対し、扉の上端部と下端部に取り付けられるピボットヒンジは、扉のフレームが細い場合でも取り付けることができる。
ピボットヒンジの中でも回転軸部が枠部および扉の直上または直下となる中心吊りのタイプのピボットヒンジでは、扉が開口部を閉鎖している状態での露出を抑えることができ、開き戸の意匠性を良くすることができる。
【先行技術文献】
【特許文献】
【０００３】
【特許文献１】特許第４３３１６６９号公報
【特許文献２】特開２０１８−１２７８６１号公報
【特許文献３】特許第３７８６９２８号公報
【発明の概要】
【発明が解決しようとする課題】
【０００４】
しかしながら、中心吊りのタイプのピボットヒンジを用いた開き戸では、開口部を閉鎖している状態から開口部を開口するように扉が９０°程度回転すると、扉が枠部と干渉してそれ以上開かないため、大型の荷物の搬出入などの際に扉が邪魔になることがある。
【０００５】
そこで、本発明は、開き戸の意匠性をよくすることができるとともに、開口部を閉鎖している状態から扉を１８０°程度回転させて開口部をより広く開口することができるピボットヒンジを提供することを目的とする。
【課題を解決するための手段】
【０００６】
上記目的を達成するため、本発明に係るピボットヒンジは、開き戸に設けられ、壁部に形成された開口部に、前記開口部を開閉する扉を回転可能に取り付けるピボットヒンジにおいて、前記開口部の縁部に取り付けられて、前記扉を回転可能に支持する回転軸部を有し、前記回転軸部は、前記壁部における壁厚方向の内側と外側とに移動可能に構成されていることを特徴とする。
【０００７】
本発明では、回転軸部が壁部における壁厚方向の内側と外側とに移動可能に構成されている。これにより、回転軸部を壁部における壁厚方向の外側に配置すれば、扉が開口部を閉鎖している状態から開口部を開口するように扉が９０°程度回転しても壁部と干渉することがなく、それ以上の１８０°程度回転して開口部をより広く開口することができる。これにより、大型の荷物の搬出入を容易に行うことができる。
また、開口部を閉鎖している状態から扉を１８０°程度回転させて開口部を開口させる必要がない場合には、回転軸部を壁部における壁厚方向の内側に配置すれば、扉が開口部を閉鎖している状態ではピボットヒンジの露出を抑えることができ、開き戸の意匠性をよくすることができる。
【０００８】
また、本発明に係るピボットヒンジでは、前記回転軸部を有する軸支持部と、前記開口部の縁部に取り付けられて前記軸支持部が固定されるベース部と、を有していてもよい。
このような構成とすることにより、開口部の縁部に取り付けたベース部に、扉と係合した状態の軸支持部を固定すれば、扉がピボットヒンジを介して開口部に取り付けられるため、扉の開口部への設置を容易に行うことができる。
【０００９】
また、本発明に係るピボットヒンジでは、前記ベース部は、前記軸支持部を仮固定する仮固定部を有していてもよい。
このような構成とすることにより、軸支持部をベース部に取り付ける際に軸支持部がベース部に仮固定されるため、軸支持部が扉に取り付けられている場合でもベース部に対する軸支持部の位置決めを容易に行うことができる。
【００１０】
また、本発明に係るピボットヒンジでは、前記回転軸部を前記壁部における壁厚方向の内側と外側とに移動可能にする移動機構を有し、前記移動機構は、前記壁部に支持されたラックと、前記回転軸部と連結され前記ラックに沿って回転しながら前記壁厚方向に移動可能なギアと、を有していてもよい。
このような構成とすることにより、ギアを回転させることで、回転軸部を容易に移動させることができる。
【００１１】
また、本発明に係るピボットヒンジでは、前記回転軸部を前記壁部における壁厚方向の内側と外側とに移動可能にする移動機構を有し、前記移動機構は、前記回転軸部を前記壁部における壁厚方向の内側に配置する第１モードと、前記回転軸部を前記壁部における壁厚方向の外側に配置する第２モードとに切り替え可能であり、前記回転軸部は、前記第１モードでは、前記扉を前記開口部を閉鎖している状態から前記開口部を開放する方向に９０°回転可能に支持し、前記第２モードでは、前記扉を前記開口部を閉鎖している状態から前記開口部を開放する方向に１８０°回転可能に支持するように構成されていてもよい。
このような構成とすることにより、移動機構で回動軸部を第２モードとすることで、扉を開口部を閉鎖している状態から１８０°回転させることができるため、開口部をより広く開口させることができ、大型の荷物の搬出入を容易に行うことができる。
また、大型の荷物の搬出などを行わない通常時には、移動機構で回動軸部を第１モードとすることで、回転軸部を壁部における壁厚方向の内側に配置することができるため、ピボットヒンジの露出を抑えることができ、開き戸の意匠性をよくすることができる。
移動機構によって第１モードと第２モードとの切り替えを容易に行うことができる。
【発明の効果】
【００１２】
本発明によれば、開き戸の意匠性をよくすることができるとともに、開口部を閉鎖している状態から扉を１８０°程度回転させて開口部をより広く開口することができる。
【図面の簡単な説明】
【００１３】
【図１】本発明の実施形態によるピボットヒンジを用いて取り付けられた扉と壁部とを示す正面図である。
【図２】第１モードのピボットヒンジ、枠部、扉の図１のＡ−Ａ線断面に対応する図である。
【図３】第２モードのピボットヒンジ、枠部、扉の図１のＡ−Ａ線断面に対応する図である。
【図４】枠部に取り付けられたピボットヒンジを示す斜視図である。
【図５】ピボットヒンジの斜視図である。
【図６】ピボットヒンジの他の方法から見た斜視図である。
【図７】可動部と固定部とを示す分解斜視図である。
【図８】可動部の斜視図である。
【図９】固定部の分解斜視図である。
【図１０】第１モードのピボットヒンジを前側から見た図である。
【図１１】第２モードのピボットヒンジを前側から見た図である。
【図１２】ベース部と軸支持部とを示す分解斜視図である。
【図１３】枠部に取り付けられたベース部を説明する図である。
【図１４】図１２のＢ−Ｂ線断面図である。
【図１５】図１１のＣ−Ｃ線断面図である。
【図１６】仮固定ピースを下側に移動させた図である。
【発明を実施するための形態】
【００１４】
以下、本発明の実施形態によるピボットヒンジについて、図１乃至図１６に基づいて説明する。
図１に示すように、本実施形態によるピボットヒンジ１は、壁部１１に形成された開口部１２を開閉可能に設けられた開き戸１３に設けられ、開き戸１３の扉１３１を開口部１２の縁部に設けられた枠部１４に回転可能に取り付けている。
【００１５】
壁部１１に直交する水平方向（壁部１１の壁厚方向、図１の紙面に直交する方向）を見込み方向とし、見込み方向に直交する水平方向（壁部１１に沿った水平方向）を幅方向（図１の左右方向）とする。壁部１１に対して、見込み方向の一方側（図１の紙面に直交する方向の手前側）を室内１５側とし、見込み方向の他方側（図１の紙面に直交する方向の奥側）を室外１６側とする。
図２に示すように、本実施形態では、扉１３１は、開口部１２を閉鎖している状態から室内１５側に向かうように回転して開口部１２を開口する。
【００１６】
図１および図２に示すように、開口部１２は、見込み方向から見た形状が長方形状に形成されている。本実施形態では、枠部１４は、三方枠で、開口部１２の上縁部に沿って設けられ幅方向に延びる上枠部１４１（図１参照）と、開口部１２の幅方向の一方側の縁部に沿って設けられ上下方向に延びる第１縦枠部１４２と、開口部１２の幅方向の他方側の縁部に沿って設けられ上下方向に延びる第２縦枠部１４３と、を有している。
【００１７】
扉１３１は、板面が長方形の板状に形成されている。図示していないが、扉１３１は、外周部に設けられたフレームと、フレームの内側に設けられた平板状の平板部と、を有している。
扉１３１の上端部には、開口部１２を閉鎖している状態での幅方向の一方側（第１縦枠部１４２と対向する側）の端部近傍にピボットヒンジ１の回転軸部３１が挿入される上側扉孔部１３２が形成されている。上側扉孔部１３２は、上下方向に延びて上方に開口している。上側扉孔部１３２は、断面形状が丸形に形成されている。
扉１３１の下端部には、開口部１２を閉鎖している状態での幅方向の一方側（第１縦枠部１４２と対向する側）の端部近傍にピボットヒンジ１の回転軸部３１が挿入される下側扉孔部１３３（図１参照）が形成されている。下側扉孔部１３３は、上下方向に延びて下方に開口している。下側扉孔部１３３は、断面形状が丸形に形成されている。
【００１８】
ピボットヒンジ１は、第１縦枠部１４２の上端部近傍および下端部近傍のそれぞれに取り付けられる。第１縦枠部１４２の上端部近傍に取り付けられたピボットヒンジ１（上側ピボットヒンジ１Ａとする）の回転軸部３１が扉１３１の上側扉孔部１３２に上側から挿入され、第１縦枠部１４２の下端部近傍に取り付けられたピボットヒンジ１（下側ピボットヒンジ１Ｂとする）の回転軸部３１が扉１３１の下側扉孔部１３３に下側から挿入されている。
【００１９】
上側ピボットヒンジ１Ａと下側ピボットヒンジ１Ｂとは、上下が反転した形状に形成されている。以下では、上側ピボットヒンジ１Ａについて説明し、下側ピボットヒンジ１Ｂの説明を省略する。
ピボットヒンジ１は、第１縦枠部１４２に幅方向の他方側（第１縦枠部１４２に対する開口部１２側）から取り付けられている。以下では、ピボットヒンジ１の各部材の説明で、ピボットヒンジ１を幅方向の他方側から見ているものとし、奥側となる幅方向の一方側を後側と示し、手前側となる幅方向の他方側を前側と示すことがある。
【００２０】
本実施形態のピボットヒンジ１は、図２に示すような扉１３１が開口部１２を閉鎖した状態から９０°程度まで回転して開口部１２を開口する第１モードと、図３に示すような扉１３１が開口部１２を閉鎖した状態から１８０°程度回転して開口する第２モードと、の２つのモードに切り替えることが可能に構成されている。詳細については後述する。
【００２１】
図４−図７に示すように、ピボットヒンジ１（上側ピボットヒンジ１Ａ）は、第１縦枠部１４２（図４参照）に固定される固定部２と、固定部２に見込み方向に移動可能に支持される可動部３と、を有している。
可動部３は、上側扉孔部１３２に挿入される回転軸部３１と、回転軸部３１が取り付けられる可動板部材３２と、可動板部材３２に取り付けられたギア部３３と、を有している。
【００２２】
回転軸部３１は、円柱状に形成され、軸線が上下方向に延びる向きで可動板部材３２に取り付けられている。
可動板部材３２は、固定部２に取り付けられる第１可動板部３４と、第１可動板部３４と一体に設けられ回転軸部３１が取り付けられる第２可動板部３５と、を有している。
【００２３】
第１可動板部３４は、板面が長尺の長方形となる平板状に形成されている。第１可動板部３４は、板面が幅方向を向き、上下方向に長尺となる向きに設置される。
第１可動板部３４には、上部側に第１可動長孔部３４１が形成され、下部側に第２可動長孔部３４２が形成されている。第１可動長孔部３４１および第２可動長孔部３４２は、それぞれ板面を貫通し、見込み方向に延びる長孔となっている。
第１可動板部３４には、上下方向の中間部における室外１６側（見込み方向の他方側）の縁部近傍に、板面を貫通しギア部３３が取り付けられるギア孔部３４３が形成されている。ギア孔部３４３は丸孔となっている。
【００２４】
第２可動板部３５は、平板状に形成され、板面が水平面となる姿勢で配置され、第１可動板部３４の上縁部から前側（幅方向の他方側）に突出している。
第２可動板部３５は、見込み方向の寸法が第１可動板部３４の見込み方向の寸法よりも大きく形成されていて、第１可動板部３４よりも見込み方向の一方側（室内１５側）に突出している。
第２可動板部３５における第１可動板部３４よりも室内１５側に突出する部分には、上下方向に貫通し回転軸部３１が挿通されて固定される軸孔部３５１が形成されている。回転軸部３１は、上端部分が軸孔部３５１に挿通され、上端部分よりも下側が第２可動板部３５の下面よりも下側に突出している。回転軸部３１は、第１可動板部３４よりも室内１５側に配置されている。
【００２５】
図７および図８に示すように、ギア部３３は、ギア３６と、ギア３６に同軸に取り付けられたピン３７と、を有している。
ピン３７は、円柱状のピン脚部３７１（図８参照）と、ピン脚部３７１の軸方向の一方側の端部に同軸に設けられピン脚部３７１よりも径の大きいピン頭部３７２（図７参照）とを有している。本実施形態では、ピン頭部３７２には＋（プラス）の切込み３７３（図７参照）が形成されている。
【００２６】
ギア３６は、ピン３７のピン脚部３７１が同軸に貫通可能となっている。
ピン３７は、ピン頭部３７２が前側、ピン脚部３７１が後側となる向きで、ピン脚部３７１が第１可動板部３４のギア孔部３４３に前側から挿通されている。ギア３６は、第１可動板部３４の後側に配置され、ギア孔部３４３に挿通されたピン脚部３７１が挿通されている。ピン脚部３７１は、ギア３６を貫通し先端部（後側の端部）３７４（図８参照）がギア３６から後側に突出している。
【００２７】
図６、図７および図９に示すように、固定部２は、第１縦枠部１４２（図４参照）に固定される後側板部材４と、後側板部材４の前側（幅方向の他方側）に固定される前側板部材５と、前側板部材５に上下方向に移動可能に取り付けられて、ギア３６が移動するラック部が形成されたラック部材６（図７、図９参照）と、前側板部材５に取り付けられる取付ピース７と、後側板部材４に取り付けられて前側板部材５を仮固定可能な仮固定ピース８（仮固定部）と、を有している。
本実施形態では、仮固定ピース８は、上側ピボットヒンジ１Ａが有し、下側ピボットヒンジ１Ｂは有していない。
【００２８】
図９に示すように、後側板部材４は、前側板部材５が固定される第１後側板部４１と、第１後側板部４１に一体に設けられ第１縦枠部１４２に固定される第２後側板部４２および第３後側板部４３と、を有している。
【００２９】
第１後側板部４１は、板面が長尺となる平板状に形成され、上下方向に延びて板面が幅方向を向く向きに配置されている。第１後側板部４１は、後面４１ａ（幅方向の一方側の面）が第１縦枠部１４２（図４参照）と対向し、前面４１ｂ（幅方向の他方の面）に前側板部材５が固定される。
【００３０】
第１後側板部４１には、上縁部近傍における室外１６側（見込み方向の他方側）に板面を貫通する第１孔部４１１が形成され、下縁部近傍における室外１６側に板面を貫通する第２孔部４１２が形成されている。第１後側板部４１には、上下方向の中間部における見込み方向の略中央に上下方向に間隔をあけて第３孔部４１３および第４孔部４１４が形成されている。第３孔部４１３は、第４孔部４１４の上側に配置されている。
第１後側板部４１には、上縁部近傍における見込み方向の略中央に上下方向に延びる仮固定ピース固定用長孔部４１５が形成されている。仮固定ピース固定用長孔部４１５は、第１孔部４１１の室内１５側で、第３孔部４１３の上側に配置されている。仮固定ピース固定用長孔部４１５は、後述する仮固定ピース固定ネジ９１が挿通される。
【００３１】
第１後側板部４１には、室内１５側における上部側に第１切り欠き部４４１が形成され、室外１６側における上部側に第２切り欠き部４４２が形成されている。第１切り欠き部４４１および第２切り欠き部４４２は、第１後側板部４１の上端部に達し、上側に開口している。第１切り欠き部４４１と第２切り欠き部４４２とは同じ高さに形成されている。
第１後側板部４１には、室内１５側における下部側に第３切り欠き部４４３が形成されている。第３切り欠き部４４３は、第１後側板部４１の下端部に達し、下側に開口している。第３切り欠き部４４３は、第１切り欠き部４４１の下側に間隔をあけて形成されている。第１後側板部４１における第１切り欠き部４４１と第３切り欠き部４４３との間の部分には、前側に突出する突出部４４４が形成されている。
【００３２】
第２後側板部４２は、第１後側板部４１の上縁部から後側に突出する第１片４２１と、第１片４２１の上縁部から上側に突出する第２片４２２と、を有している。
第１片４２１は、第１後側板部４１の上縁部よりも見込み方向の寸法が小さく設定され、第１後側板部４１に対して室外１６側に寄った位置に配置されている。
第２片４２２は、第１片よりも見込み方向の寸法が大きく設定されている。第２片４２２は、室外１６側の縁部が第１片の室外１６側の縁部よりも室外１６側に突出している。
第２片４２２には、見込み方向に間隔をあけて２つの第５孔部４２３，４２３が形成されている。
【００３３】
第３後側板部４３は、第１後側板部４１の下縁部から後側に突出する第３片４３１と、第３片４３１の下縁部から下側に突出する第４片４３２と、第４片４３２の下縁部から前側に突出する第５片４３３と、を有している。第４片４３２には、見込み方向に間隔をあけて２つの第６孔部４３４，４３４が形成されている。
第３片４３１および第４片４３２は、第１後側板部４１の下縁部と見込み方向の寸法が同じに設定されている。
【００３４】
第１片４２１と第３片４３１とは、第１後側板部４１からの突出寸法が同じ寸法に設定されている。第２片４２２の後面４２２ａと第４片４３２の後面４３２ａとは、同一鉛直平面上に配置されている（図６参照）。第２片４２２と第４片４３２とは、見込み方向の位置が同じ位置となるように配置されている。
第５片４３３は、第４片４３２よりも見込み方向の寸法が小さく設定され、第４片４３２の見込み方向の中間部から前側に突出している。第５片４３３の前端部は、第１後側板部４１の前面４１ｂよりも前側に位置している。
【００３５】
前側板部材５は、後側板部材４に固定される第１前側板部５１と、第１前側板部５１に一体に設けられる第２前側板部５２および第３前側板部５３と、を有している。
【００３６】
第１前側板部５１は、板面が長尺となる平板状に形成され、上下方向に延びて板面が幅方向を向く向きに配置されている。第１前側板部５１は、後面（幅方向の一方側の面）が第１後側板部４１の前面と対向し、前側（幅方向の他方の面）にラック部材６が設けられる。
第１前側板部５１には、上縁部近傍における室外１６側に板面を貫通する第１孔部５１１が形成され、下縁部近傍における室外１６側に板面を貫通する第２孔部５１２が形成されている。
【００３７】
第１前側板部５１には、上下方向の中間部における見込み方向の略中央に上下方向に間隔をあけて第３孔部５１３および第４孔部５１４が形成されている。第３孔部５１３は、第４孔部５１４の上側に配置されている。
第１前側板部５１には、上縁部近傍における室内１５側に板面を貫通する第５孔部５１５が形成され、下縁部近傍における室内１５側に板面を貫通する第６孔部５１６が形成されている。
【００３８】
第１前側板部５１には、上縁部近傍における見込み方向の略中央に上下方向に延びる第１長孔部５１７が形成されている。第１長孔部５１７は、第１孔部５１１の室内１５側で、第３孔部５１３の上側に配置されている。第１長孔部５１７は、仮固定ピース固定用長孔部４１５よりも大きく形成され、仮固定ピース固定用長孔部４１５の前側に配置される。
第１前側板部５１には、上下方向の略中央に見込み方向に延びる第２長孔部５１８が形成されている。第２長孔部５１８は、第３孔部５１３と第４孔部５１４との間に配置されている。
【００３９】
第１前側板部５１には、室内１５側における上部側に第１切り欠き部５４１が形成され、室外１６側における上部側に第２切り欠き部５４２が形成されている。第１切り欠き部５４１および第２切り欠き部５４２は、第１前側板部５１の上端部まで達していない。第１切り欠き部５４１と第２切り欠き部５４２とは同じ高さに形成され、第２長孔部５１８の上側に配置されている。
第１前側板部５１には、室内１５側における下部側に第３切り欠き部５４３が形成され、室外１６側における下部側に第４切り欠き部５４４が形成されている。第３切り欠き部５４３および第４切り欠き部５４４は、第１前側板部５１の下端部まで達していない。第３切り欠き部５４３と第４切り欠き部５４４とは同じ高さに形成され、第２長孔部５１８の下側に配置されている。
【００４０】
第２前側板部５２は、第１前側板部５１の上端部から前側に突出する第１片５２１と、第１片５２１の幅方向の一方側の縁部から下側に突出する第２片５２２と、を有している。
第３前側板部５３は、第１前側板部５１の下端部から前側に突出している。
第２前側板部５２は、第３前側板部５３よりも前側に突出している。
【００４１】
取付ピース７は、板状の部材で板面が幅方向を向く向きで第１前側板部５１の前面５１ｂに重なるように固定される。本実施形態では、第１前側板部５１の前面５１ｂの上部側と下部側のそれぞれに取り付けられている。
第１前側板部５１の前面５１ｂの上部側に取り付けられる取付ピース７（以下、第１取付ピース７１とする）は、第１前側板部５１の第１切り欠き部５４１および第２切り欠き部５４２の上側に位置し、上端部が第２前側板部５２の第１片５２１の下面５２１ａと当接している。
第１前側板部５１の前面５１ｂの下部側に取り付けられる取付ピース７（以下、第２取付ピース７２とする）は、第１前側板部５１の第３切り欠き部５４３および第４切り欠き部５４４の下側に位置し、下端部が第３前側板部５３の上面５３ａと当接している。
【００４２】
第１取付ピース７１および第２取付ピース７２は、互いに上下方向に離間していて、第１前側板部５１の第３孔部５１３、第４孔部５１４および第２長孔部５１８の前側に重ならないように配置されている。
第１取付ピース７１および第２取付ピース７２は、第１前側板部５１よりも見込み方向の寸法が小さく設定されている。第１前側板部５１の見込み方向の両端部は、第１取付ピース７１および第２取付ピース７２の見込み方向の両端部から突出している。
【００４３】
第１取付ピース７１と、第２取付ピース７２とは、上下が反転した形状に形成されている。第１取付ピース７１および第２取付ピース７２には、室外１６側に第１孔部７３が形成され、室内１５側に第２孔部７４が形成されている。
第１取付ピース７１には、第１孔部７３と第２孔部７４との間で見込み方向の中央に、板面を貫通するとともに下側に開口する切り欠き部７５が形成されている。
第２取付ピース７２には、第１孔部７３と第２孔部７４との間で見込み方向の中央に、板面を貫通するとともに上側に開口する切り欠き部７５が形成されている。
【００４４】
第１取付ピース７１は、第１孔部７３が第１前側板部５１の第１孔部５１１の前側に重なり、第２孔部７４が第１前側板部５１の第５孔部５１５の前側に重なり、切り欠き部７５が、第１前側板部５１の第１長孔部５１７の上部側の前側に重なるように配置されている。
第２取付ピース７２は、第１孔部７３が第１前側板部５１の第２孔部５１２の前側に重なり、第２孔部７４が第１前側板部５１の第６孔部５１６の前側に重なるように配置されている。
【００４５】
第１取付ピース７１および第１前側板部５１には、互いに嵌合する凹部および凸部が形成されていて、凹部と凸部とが嵌合することで第１取付ピース７１が第１前側板部５１に取り付けられるように構成されている。
第２取付ピース７２および第１前側板部５１には、互いに嵌合する凹部および凸部が形成されていて、凹部と凸部とが嵌合することで第２取付ピース７２が第１前側板部５１に取り付けられるように構成されている。
【００４６】
ラック部材６は、板面が長方形の板状の部材で、板面が幅方向を向く向きで第１前側板部５１の前側で第１取付ピース７１と第２取付ピース７２との間に配置される。
ラック部材６は、室外１６側から室内１５側に向かって漸次下側から上側に向かう斜め方向に延びるラック長孔部６１が形成されている。ラック長孔部６１の延在方向の端部のうち、室外１６側かつ下側となる端部を室外側端部６１１とし、室内１５側かつ上側となる端部を室内側端部６１２とする。
ラック長孔部６１の内周面のうち、室内１５側かつ上側となり、室外１６側かつ室内１５側となる斜め方向を向く面は、ギア３６の歯と嵌合する凹凸が形成されたラック面６２となっている。
【００４７】
第１取付ピース７１と第２取付ピース７２との上下方向の間隔は、ラック部材６の上下方向の寸法よりも大きく形成されている。ラック部材６は、第１取付ピース７１と第２取付ピース７２との間で上下方向に移動可能に構成されている。
ラック部材６は、後面６ａの４つの角部それぞれに後側に突出する凸部６３が形成されている。ラック部材６は、４つの凸部６３の先端部が第１前側板部５１の前面５１ｂと当接している。
ラック部材６の前面は、第１取付ピース７１および第２取付ピース７２の前面と同一鉛直面上に配置されている。
第１取付ピース７１、第２取付ピース７２およびラック部材６の前側には可動部３が配置される。
【００４８】
図６および図９に示すように、仮固定ピース８は、上側ピボットヒンジ１Ａの後側板部材４に取り付けられる部材で、下側ピボットヒンジ１Ｂには設けられていない。仮固定ピース８は、後側板部材４の第１後側板部４１の後面４１ａに対向して配置される後板部８１と、後板部８１の室内１５側の縁部および室外１６側の縁部それぞれから前側に突出する一対の前側突出片８２と、後板部８１の後面８１ａから後側に突出する一対の後側突出片８３と、を有している。仮固定ピース８は、弾性変形可能に構成されている。
【００４９】
後板部８１は、平板状に形成され、板面が幅方向を向く向きで後側板部材４の後側に配置されている。後板部８１は、前面８１ｂが第１後側板部４１の後面４１ａと対向する。
後板部８１には、上部側における見込み方向の中間部に板面を貫通する孔部８１１が形成されている。
後板部８１には、室外１６側の縁部近傍に上側に開口する第３切り欠き部８１２が形成され、見込み方向の中間部に下側に貫通する第４切り欠き部８１３が形成されている。
第３切り欠き部８１２は、孔部８１１よりも室外１６側に配置されている。第４切り欠き部８１３は、孔部８１１の下側に配置されている。
【００５０】
一対の前側突出片８２は、上端部が後板部８１の上端部よりも上側に突出し、下端部が後板部８１の下端部よりも上側に位置している。室外１６側の前側突出片８２は、第１切り欠き部８１２の上側に配置されている。室内１５側の前側突出片８２は、第２切り欠き部８１３の上側に配置されている。
一対の前側突出片８２それぞれの先端部（前側の端部）には、互いに近接する側に突出する爪部８２１が形成されている。
一対の後側突出片８３は、見込み方向に間隔をあけて配置されている。一対の後側突出片８３は、後板部８１の孔部８１１および第１−第４切り欠き部８１２−８１３と干渉しない位置に配置されている。一対の後側突出片８３は、後板部８１の後側に同じ寸法分突出している。
【００５１】
仮固定ピース８は、後側板部材４に取り付けられると、後板部８１が後側板部材４の第１後側板部４１の上部側の後側に重なって配置され、一対の前側突出片８２が第１後側板部４１の側方に配置されて第１後側板部４１より前側に突出している。
一対の前側突出片８２のうち、室外１６側の前側突出片８２は、第１後側板部４１の第１切り欠き部４４１に配置され、室内１５側の前側突出片８２は、第１後側板部４１の第２切り欠き部４４２に配置されている。
一対の後側突出片８３それぞれの後端部は、第２後側板部４２の第２片４２２および第３後側板部４３の第４片４３２の裏面と同一面に配置されている。
後板部８１の孔部８１１は、第１後側板部４１の仮固定ピース固定用長孔部４１５と重なる位置に配置される。
【００５２】
仮固定ピース８は、後側板部材４の第１後側板部４１の仮固定ピース固定用長孔部４１５および後板部８１の孔部８１１に挿通された仮固定ピース固定ネジ９１で後側板部材４に固定されている。仮固定ピース固定ネジ９１が締め付けられることで、仮固定ピース固定ネジ９１の頭部と仮固定ピース８の後板部８１とが後側板部材４の第１後側板部４１を挟持し、仮固定ピース８と後側板部材４とが固定されている。
【００５３】
仮固定ピース固定ネジ９１を緩めて、仮固定ピース８と後側板部材４との固定が緩まると、仮固定ピース固定ネジ９１が仮固定ピース固定用長孔部４１５の内部を上下方向に移動可能となっている。仮固定ピース固定ネジ９１を緩めても仮固定ピース固定ネジ９１は仮固定ピース８に固定されている。このため、仮固定ピース固定ネジ９１を緩めて仮固定ピース固定ネジ９１を上下方向に移動させると、仮固定ピース８も仮固定ピース固定ネジ９１とともに上下方向に移動する。
すなわち、仮固定ピース８は、仮固定ピース固定用長孔部４１５の長さの範囲で後側板部材４に対して上下方向に移動可能に構成されている。
【００５４】
仮固定ピース固定ネジ９１が仮固定ピース固定用長孔部４１５の上端部４１５ａに位置すると、仮固定ピース８は、後板部８１の上端部および後側突出片８３の上端部が後側板部材４の第２後側板部４２の第１片の下面と当接している。このとき、後板部８１の第３切り欠き部８１２は、第１後側板部４１の第１孔部４１１の後側に重なるように配置されている。このような状態における後側板部材に対する仮固定ピース８の位置を上位置とする。
【００５５】
仮固定ピース固定ネジ９１が仮固定ピース固定用長孔部４１５の下端部４１５ｂに位置すると、仮固定ピース８は、一対の前側突出片８２が第１後側板部４１の第１切り欠き部４４１および第２切り欠き部４４２の下部側に配置される。このとき、後板部８１の第４切り欠き部８１３は、第１後側板部４１の第３孔部４１３の後側に重なるように配置されている。このような状態における後側板部材に対する仮固定ピース８の位置を下位置とする。
仮固定ピース８の後側板部材４に対する上下方向の移動については後述する。
【００５６】
上記のようなピボットヒンジ１は、仮固定ピース８が取り付けられた状態の後側板部材４が、第１縦枠部１４２に固定され、この後側板部材４に対して、第１取付ピース７１、第２取付ピース７２および可動部３が取り付けられた前側板部材５が固定される。
【００５７】
後側板部材４は、第２後側板部４２の第２片４２２および第３後側板部４３の第４片４３２が第１縦枠部１４２と当接し、第２片４２２の第５孔部４２３，４２３および第４片４３２の第６孔部４３４，４３４に挿通されたネジ（不図示）で第１縦枠部１４２に固定されている。
【００５８】
可動部３は、ラック部材６、第１取付ピース７１および第２取付ピース７２を挟んで前側板部材５の第１前側板部５１の前側に取り付けられている。
可動部３は、可動板部材３２の第１可動板部３４がラック部材６、第１取付ピース７１および第２取付ピース７２の前側に配置され、第２可動板部３５が、前側板部材５の第２前側板部５２の第１片５２１の下側にされ、ギア３６がラック部材６のラック長孔部６１に挿入され、ピン３７の先端部が第１前側板部５１の第２長孔部５１８に挿入されている。
【００５９】
可動板部材３２は、第１可動板部３４の第１可動長孔部３４１および第１取付ピース７１の第２孔部７４および第１前側板部５１の第５孔部５１５に挿通されたピン９２、および第１可動板部３４の第２可動長孔部３４２および第２取付ピース７２の第２孔部７４および第１前側板部５１の第６孔部５１６に挿通されたピン９３によって第１前側板部５１に取り付けられている。ピン９２，９３は、前側板部材５に固定されている。
可動板部材３２は、ピン９２，９３に対して第１可動長孔部３４１および第２可動長孔部３４２の見込み方向の長さ範囲で相対変位可能に構成されている。これにより、可動部３は、前側板部材５に対して見込み方向に移動可能にとなる。可動部３の前側板部材５に対する移動動作については後述する。
【００６０】
第１取付ピース７１、第２取付ピース７２および可動部３が取り付けられた前側板部材５は、第１前側板部５１の第１孔部５１１と第１後側板部４１の第１孔部４１１に挿通されたネジ９４、第１前側板部５１の第２孔部５１２と第１後側板部４１の第２孔部４１２に挿通されたネジ９５、第１前側板部５１の第３孔部５１３と第１後側板部４１の第３孔部４１３に挿通されたネジ９６、第１前側板部５１の第４孔部５１４と第１後側板部４１の第４孔部４１４に挿通されたネジ９７によって、後側板部材４と固定されている。なお、前側板部材５と後側板部材４とが、上記のネジ９４−９７によって第１縦枠部１４２に共締めされていてもよい。
【００６１】
図１０に示す第１モードでは、ラック部材６が上側に配置され、ギア３６がラック長孔部６１の室外側端部６１１に配置され、ピン３７の先端部分が第１前側板部５１の第２長孔部５１８の室外側端部５１８ａに挿入されている。
このとき、可動部３は、全体が前側板部材５の前側に配置される。可動部３の可動板部材３２の第１可動長孔部３４１を貫通するピン９２および第２可動長孔部３４２を貫通するピン９３は、第１可動長孔部３４１および第２可動長孔部３４２の室外１６側の端部を貫通している。
第１モードでは、可動部３の回転軸部３１は、壁部１１における見込み方向（壁厚方向）の内側で、第１縦枠部１４２の前側に重なるように配置されている。
【００６２】
図１１に示す第２モードでは、ラック部材６が下側に配置され、ギア３６がラック長孔部６１の室内側端部６１２に配置され、ピン３７の先端部分が第１前側板部５１の第２長孔部５１８の室内側端部５１８ｂに挿入されている。第２モードでは、ギア部３３およびラック部材６が第１モードよりも室内１５に配置される。
このため、可動部３も、第１モードよりも室内１５側に配置され、可動部３における室外１６側の部分のみが前側板部材５の前側に配置される。
このとき、可動部３の可動板部材３２の第１可動長孔部３４１を貫通するピン９２および第２可動長孔部３４２を貫通するピン９３は、第１可動長孔部３４１および第２可動長孔部３４２の室外１６側の端部を貫通している。
第２モードでは、可動部３の回転軸部３１は、壁部１１における見込み方向（壁厚方向）の外側で、第１縦枠部１４２よりも室内１５側に突出して配置される。
【００６３】
第２モードでは、前側板部材５の第１前側板部５１の第１−第４孔部５１１−５１４、後側板部材４の第１後側板部４１の第１−第４孔部４１１−４１４の前側に可動部３の可動板部材３２が重ならず、第１前側板部５１の第１−第４孔部５１１−５１４および第１後側板部４１の第１−第４孔部４１１−４１４に前側からネジ９４−９７を挿通可能となっている。
また、第２モードでは、前側板部材５の第１前側板部５１の第１長孔部５１７および後側板部材４の第１後側板部４１の仮固定ピース固定用長孔部４１５の前側に可動部３の可動板部材３２が重ならず、第１前側板部５１の第１長孔部５１７および第１後側板部４１の仮固定ピース固定用長孔部４１５に仮固定ピース固定ネジ９１を挿通可能となっている。
このため、前側板部材５を後側板部材４に固定する際には、第２モードにした状態で行う。
【００６４】
可動部３を第１モードから第２モードとする場合には、図１０に示す第１モードの可動部３のピン３７の＋の切込み３７３にドライバーを入れ、ドライバーを回転させてピン３７およびギア３６を回転させる。ギア３６が回転することにより、ギア３６の歯がラック部の歯と噛み合い、ギア３６とラック部材６とが相対移動する。ギア３６は、ラック長孔部６１の室外側端部６１１から室内側端部６１２に向かって移動する。
ギア３６は、ピン３７の先端部分が第１前側板部５１の第２長孔部５１８に挿入されていることにより、第１縦枠部１４２に対して第２長孔部５１８に沿った見込み方向のみに移動可能となり、上下方向の移動が拘束されている。このため、ギア３６は、室内１５側に移動し、ラック部材６が下側に移動する。これにより、ギア３６がラック長孔部６１の室内側端部６１２に到達する。
可動部３の可動板部材３２および回転軸部３１は、ギア３６と一体に室内１５側に移動し、図１１に示すような第２モードとなる。
【００６５】
可動部３を第２モードから第１モードとする場合には、図１１に示す第２モードの可動部３のピン３７の＋の切込み３７３にドライバーを入れ、ドライバーを回転させてピン３７およびギア３６を第１モードから第２モードとする場合と反対側に回転させる。ギア３６は、ラック長孔部６１の室外１６側に移動し、ラック部材６は上側に移動する。これにより、ギア３６がラック長孔部６１の室外側端部６１１に到達する。
可動部３の可動板部材３２および回転軸部３１は、ギア３６と一体に室外１６側に移動し、図１１に示すような第１モードとなる。
【００６６】
次に、ピボットヒンジ１を介して扉１３１を枠部１４に取り付ける方法について説明する。
ピボットヒンジ１を介して扉１３１を枠部１４に取り付ける際には、上側ピボットヒンジ１Ａの後側板部材４および仮固定ピース８を第１縦枠部１４２に取り付け、第１取付ピース７１、第２取付ピース７２、ラック部材６および可動部３を前側板部材５に取り付け、可動部３の回転軸部３１を扉１３１に取り付けてから、前側板部材５を後側板部材４および第１縦枠部１４２に固定する。
また、ピボットヒンジ１を介して扉１３１を枠部１４に取り付ける際には、下側ピボットヒンジ１Ｂの後側板部材４を第１縦枠部１４２に取り付け、第１取付ピース７１、第２取付ピース７２、ラック部材６および可動部３を前側板部材５に取り付け、前側板部材５を後側板部材４に取り付けてから下側ピボットヒンジ１Ｂの回転軸部３１に扉１３１を取り付ける。
図１２に示すように、ピボットヒンジ１の後側板部材４および仮固定ピース８（下側ピボットヒンジ１Ｂでは後側固定板部のみ）をベース部１７とし、前側板部材５、第１取付ピース７１、第２取付ピース７２、ラック部材６および可動部３を軸支持部１８とする。
【００６７】
ボットヒンジを介して扉１３１を枠部１４に取り付けるには、まず、図１３に示すように。上側ピボットヒンジ１Ａのベース部１７を第１縦枠部１４２に取り付ける。
ベース部１７は、仮固定ピース８が上述した上位置に配置された状態とする。
第１縦枠部１４２に形成された切込み部１４２ａにベース部１７を配置し、後側板部材４の第２後側板部４２の第２片４２２、第３後側板部４３の第４片４３２および仮固定ピース８の後側突出片８３（図９参照）の後端部を第１縦枠部１４２と当接させ、後側板部材４の第２後側板部４２および第３後側板部４３を第１縦枠部１４２にネジ（不図示）で固定する。
【００６８】
続いて、上側ピボットヒンジ１Ａの軸支持部１８を扉１３１に取り付ける。
軸支持部１８を第２モードとし、この状態で、軸支持部１８の回転軸部３１を扉１３１の上側扉孔部１３２に上方から挿入する。
【００６９】
続いて、下側ピボットヒンジ１Ｂを第１縦枠部１４２に取り付ける。
第１縦枠部１４２に形成された切込み部１４２ａにベース部１７を配置し、後側板部材４の第２後側板部４２の第２片４２２、第３後側板部４３の第４片４３２を第１縦枠部１４２と当接させ、後側板部材４の第２後側板部４２および第３後側板部４３を第１縦枠部１４２にネジで固定する。
【００７０】
続いて、下側ピボットヒンジ１Ｂの軸支持部１８をベース部１７に取り付ける。
下側ピボットヒンジ１Ｂの軸支持部１８を第２モードとし、軸支持部１８の前側板部材５をベース部１７の後側板部材４に固定する。
第１前側板部５１の第１孔部５１１と第１後側板部４１の第１孔部４１１に挿通されたネジ９４、第１前側板部５１の第２孔部５１２と第１後側板部４１の第２孔部４１２に挿通されたネジ９５、第１前側板部５１の第３孔部５１３と第１後側板部４１の第３孔部４１３に挿通されたネジ９６、第１前側板部５１の第４孔部５１４と第１後側板部４１の第４孔部４１４に挿通されたネジ９７によって、前側板部材５を後側板部材４に固定し、軸支持部１８をベース部１７に固定する。
【００７１】
上述しているように、第２モードでは、前側板部材５の第１前側板部５１の第１−第４孔部５１１−５１４の前側に可動部３の可動板部材３２が重ならないため、上記のように軸支持部１８をベース部１７にネジ９４−９７で固定することができる。
第１縦枠部１４２に取り付けられた下側ピボットヒンジ１Ｂの回転軸部３１は、可動部３の第２可動板部３５から上方に突出している。
上側ピボットヒンジ１Ａのベース部１７の第１縦枠部１４２への固定、上側ピボットヒンジ１Ａの軸支持部１８の扉１３１への取り付け、下側ピボットヒンジ１Ｂの第１縦枠部１４２への取り付けは、上記と順番が前後してもよい。
【００７２】
続いて、扉１３１の建て込みを行う。
まず、扉１３１を持ち上げて、下側ピボットヒンジ１Ｂの回転軸部３１を扉１３１の下側扉孔部１３３に挿入させる。
続いて、扉１３１の上端部を第１縦枠部１４２に近づけ、図１４に示すように、上側ピボットヒンジ１Ａの軸支持部１８をベース部１７に近づけて、図１５に示すように当接させる。
このとき、仮固定ピース８の一対の前側突出片８２の間に、軸支持部１８の前側板部材５をはめ込み、一対の前側突出片８２の爪部８２１の後側に配置する。具体的には、前側板部材５の第１切り欠き部５４１および第２切り欠き部５４２（図９参照）の上側の部分が爪部８２１に係止される。
これにより、軸支持部１８がベース部１７に仮固定される。
【００７３】
この状態で、図１１に示すように、第１前側板部５１の第１孔部５１１と第１後側板部４１の第１孔部４１１に挿通されたネジ９４、第１前側板部５１の第２孔部５１２と第１後側板部４１の第２孔部４１２に挿通されたネジ９５、第１前側板部５１の第３孔部５１３と第１後側板部４１の第３孔部４１３に挿通されたネジ９６、第１前側板部５１の第４孔部５１４と第１後側板部４１の第４孔部４１４に挿通されたネジ９７によって、前側板部材５を後側板部材４に固定し、軸支持部１８をベース部１７に固定する。
下側ピボットヒンジ１Ｂの軸支持部１８のベース部１７への固定は、上側ピボットヒンジ１Ａの軸支持部１８のベース部１７への固定と同様に行う。
【００７４】
続いて、上側ピボットヒンジ１Ａおよび下側ピボットヒンジ１Ｂを第２モードから図１０に示す第１モードとする。
上側ピボットヒンジ１Ａおよび下側ピボットヒンジ１Ｂそれぞれのピン３７を回転させて、可動部３を室内１７側に移動させ、ピボットヒンジ１を第２モードから第１モードとする。
このようにして、扉１３１がピボットヒンジ１を介して枠部１４に取り付けられる。
【００７５】
扉１３１を枠部１４から取り外すには、まず、上側ピボットヒンジ１Ａおよび下側ピボットヒンジ１Ｂそれぞれのピン３７を回転させて、可動部３を室内１５側に移動させ、ピボットヒンジ１を第１モードから図１１に示す第２モードとする。
続いて、上側ピボットヒンジ１Ａの軸支持部１８をベース部１７に固定しているネジ９４−９５を外す。このとき、軸支持部１８の前側板部材５が仮固定ピース８に係止されているため、軸支持部１８はベース部１７と当接した状態に維持される。
【００７６】
続いて、上側ピボットヒンジ１Ａの仮固定ピース固定ネジ９１を緩め、仮固定ピース８を後側板部材４の仮固定ピース固定用長孔部４１５に沿って上下方向に移動可能な状態とする。
なお、後側板部材４の仮固定ピース固定用長孔部４１５の前側に前側板部材５の第１長孔部５１７が重なって配置されているが、第１長孔部５１７は、仮固定ピース固定用長孔部４１５よりも大きく形成されている。このため、仮固定ピース固定ネジ９１を緩める際に、仮固定ピース固定ネジ９１や、仮固定ピース固定ネジ９１を緩めるための工具が前側板部材５と干渉しないように構成されている。
【００７７】
そして、仮固定ピース８を仮固定ピース固定ネジ９１とともに後側板部材４の仮固定ピース固定用長孔部４１５に沿って下側に移動させ、上述した下位置に配置する。
これにより、仮固定ピース８が一対の前側突出片８２を前側板部材５の第１切り欠き部５４１および第２切り欠き部５４２の高さとする。これにより、一対の前側突出片８２の爪部８２１の後側が前側板部材５の第１切り欠き部５４１および第２切り欠き部５４２となるため、爪部８２１による前側板部材５の係止が解除される。
これにより、軸支持部１８がベース部１７から離間する。
【００７８】
続いて、扉１３１を持ち上げるようにして、回転軸部３１を下側扉孔部１３３から外し、下側ピボットヒンジ１Ｂの軸支持部をベース部から外す。
これにより、扉１３１が枠部１４から取り外される。
扉１３１が枠部１４から取り外された後に、仮固定ピース８を上側に移動させ、仮固定ピース固定ネジ９１を締めて仮固定ピース８を後側板部材４に固定することで、仮固定ピース８は軸支持部１８を仮固定可能な状態となる。
【００７９】
次に、上述した本実施形態によるピボットヒンジ１の作用・効果について図面を用いて説明する。
上述した本実施形態によるピボットヒンジ１は、回転軸部３１が見込み方向に移動可能で第１モードと第２モードに調整可能に構成されている。これにより、ピボットヒンジ１を第２モードにすれば、回転軸部３１が枠部１４よりも室内１５側に配置され、扉１３１が開口部１２を閉鎖している状態から開口部１２を開口するように扉１３１が９０°程度回転しても壁部１１と干渉することがなく、それ以上の１８０°程度回転して開口部１２をより広く開口することができる。これにより、大型の荷物の搬出入を容易に行うことができる。
また、開口部１２を閉鎖している状態から扉１３１を１８０°程度回転させて開口部１２を開口させる必要がない場合には、ピボットヒンジ１を第１モードとし、回転軸部３１を枠部１４の前側に重なるように配置すれば、扉１３１が開口部１２を閉鎖している状態ではピボットヒンジ１の露出を抑えることができ、開き戸１３の意匠性をよくすることができる。
【００８０】
また、ピボットヒンジ１は、回転軸部３１を有する軸支持部１８と、枠部１４に取り付けられて軸支持部１８が固定されるベース部１７と、を有していることにより、枠部１４に取り付けたベース部１７に、扉１３１と係合した状態の軸支持部１８を固定すれば、扉１３１がピボットヒンジ１を介して開口部１２に取り付けられるため、扉１３１の開口部１２への設置を容易に行うことができる。
【００８１】
また、ベース部１７は、軸支持部１８を仮固定する仮固定ピース８を有していることにより、軸支持部１８をベース部１７に取り付ける際に軸支持部１８がベース部１７に仮固定されるため、軸支持部１８が扉１３１に取り付けられている場合でもベース部１７に対する軸支持部１８の位置決めを容易に行うことができる。
【００８２】
また、回転軸部３１を壁部１１における見込み方向（壁厚方向）に移動可能にする、壁部１１に支持されたラック部材６と、回転軸部３１と連結されラック部材６のラック面６２に沿って回転しながら見込み方向に移動可能なギア３６と、を有していることにより、ギア３６を回転させることで、回転軸部３１を容易に移動させることができる。ラック部材６およびギア３６が本発明の移動機構となっている。
【００８３】
以上、本発明によるピボットヒンジ１の実施形態について説明したが、本発明は上記の実施形態に限定されるものではなく、その趣旨を逸脱しない範囲で適宜変更可能である。
例えば、上記の実施形態では、ピボットヒンジ１は、回転軸部３１を有する軸支持部１８と、枠部１４に取り付けられて軸支持部１８が固定されるベース部１７と、を有し、枠部１４に取り付けたベース部１７に、扉１３１と係合した状態の軸支持部１８を固定するように構成されている。これに対し、ピボットヒンジの枠部１４および扉１３１への取り付け方は適宜設定されてよい。
【００８４】
また、上記の実施形態では、開口部１２の縁部に枠部１４が設けられ、枠部１４にピボットヒンジ１が取り付けられているが、枠部１４が設けられず、ピボットヒンジ１が開口部１２の内周面に取り付けられていてもよい。
また、上記の実施形態では、ベース部１７は、軸支持部１８を仮固定する仮固定ピース８を有しているが、仮固定ピース８を有していなくてもよい。
【００８５】
また、上記の実施形態では、回転軸部３１を壁部１１における見込み方向に移動可能にする、壁部１１に支持されたラック部材６と、回転軸部３１と連結されラック部材６のラック面６２に沿って回転しながら見込み方向に移動可能なギア３６と、を有している。これに対し、回転軸部３１を移動させる移動機構は上記以外であってもよい。
【００８６】
また、上記の実施形態では、上側ピボットヒンジ１Ａおよび下側ピボットヒンジ１Ｂの両方にラック部材６とギア部３３とが設けられている。これに対し、上側ピボットヒンジ１Ａおよび下側ピボットヒンジ１Ｂのいずれか一方にラック部材６とギア部３３とが設けられ、他方のピボットヒンジの回転軸部は、一方のピボットヒンジの回転軸部３１が見込み方向に移動した際に追従して移動できるように構成されていてもよい。例えば、他方のピボットヒンジの回転軸部が挿入される扉１３１の孔部（上側扉孔部１３２または下側扉孔部１３３に対応する孔部）が長孔に形成され、一方のピボットヒンジの移動に追従してこの長孔の内部を移動するように構成されていてもよい。
【符号の説明】
【００８７】
１  ピボットヒンジ
６  ラック部材（ラック部、移動機構）
８  仮固定ピース（仮固定部）
１１  壁部
１２  開口部
１３  開き戸
１４  枠部（開口部の縁部）
１７  ベース部
１８  軸支持部
３１  回転軸部
３３  ギア部
３６  ギア（移動機構）
６２  ラック面（ラック）
１３１  扉
１４２  第１縦枠部
【図１】
2020133298.tif 000003
【図２】
2020133298.tif 000004
【図３】
2020133298.tif 000005
【図４】
2020133298.tif 000006
【図５】
2020133298.tif 000007
【図６】
2020133298.tif 000008
【図７】
2020133298.tif 000009
【図８】
2020133298.tif 000010
【図９】
2020133298.tif 000011
【図１０】
2020133298.tif 000012
【図１１】
2020133298.tif 000013
【図１２】
2020133298.tif 000014
【図１３】
2020133298.tif 000015
【図１４】
2020133298.tif 000016
【図１５】
2020133298.tif 000017
【図１６】
2020133298.tif 000018